(57)【要約】【課題】  シュレッダーにおいて、被処理物がカッター機構とシュレッダーの構造体との間に入り込まないように抑制して被処理物の端部も適切に裁断すると共にカッターの支持軸を構造体に簡易にかつ適切に設置する。【解決手段】  支持軸１０は、シュレッダー１の構造体２に支持され、カッター１４等のカッター機構１２が取り付けられる。支持軸１０は、構造体２とカッター機構１２との間に挿入されるプレート２０を有する。プレート２０は、裁断すべき被処理物が構造体２とカッター機構１２との間に入り込まないように書類等の被処理物を案内する。プレート２０は、支持軸１０上を変位可能に設置され、プレート２０に押しつけられ構造体２のカッター機構１２とは反対の側にまで延びる介在２４を介して、支持軸１０の端部に形成された螺旋２６に螺合するナット２８の締付によりカッター機構１２に向けて押し込まれて、カッター機構１２に近接する位置に配置される。【選択図】        図１
2006263589.tif 000002
【特許請求の範囲】
【請求項１】
カッター機構が取り付けられシュレッダーの構造体に支持されるカッターの支持軸において、前記構造体と前記カッター機構との間に挿入されて裁断すべき被処理物が前記構造体とカッター機構との間に入り込まないように前記被処理物を案内するプレートを有することを特徴とするカッターの支持軸。
【請求項２】
請求項１に記載されたカッターの支持軸において、前記プレートは、前記カッター機構の側方に空間が生ずるのを防止するように前記カッター機構に接して配置されることを特徴とするカッターの支持軸。
【請求項３】
請求項１又は請求項２のいずれかに記載されたカッターの支持軸において、前記プレートは前記支持軸上を変位可能に設置され、前記支持軸は前記プレートを前記被処理物が前記構造体とカッター機構との間に入り込まないように案内できる位置に固定する位置合わせ部材を有することを特徴とするカッターの支持軸。
【請求項４】
請求項３に記載されたカッターの支持軸において、前記プレートは、前記プレートに形成された貫通孔に前記支持軸を貫通させて前記支持軸上を変位可能に設置され、前記位置合わせ部材は、前記プレートに押しつけられ前記構造体の前記カッター機構とは反対の側にまで延びる介在と、前記構造体の前記カッター機構とは反対の側で前記支持軸の端部に形成された螺旋に螺合するナットとから成り、前記ナットは、締付により前記介在を介して前記プレートを前記カッター機構に対して進退させると共に前記被処理物が前記構造体とカッター機構との間に入り込まないように案内できる位置に固定することを特徴とするカッターの支持軸。
【請求項５】
請求項３に記載されたカッターの支持軸において、前記位置合わせ部材は、前記支持軸の端部に形成された螺旋と、前記螺旋に螺合する前記プレートとから成り、前記プレートは前記螺合により前記カッター機構に対して進退するように前記支持軸上を変位すると共に螺合の締付により前記被処理物が前記構造体とカッター機構との間に入り込まないように案内できる位置で固定されることを特徴とするカッターの支持軸。
【請求項６】
請求項３に記載されたカッターの支持軸において、前記プレートは、前記プレートに形成された貫通孔に前記支持軸を貫通させて前記支持軸上を変位可能に設置され、前記位置合わせ部材は、前記支持軸の端部に形成された螺旋と、前記螺旋に螺合する前記ナットとから成り、前記ナットは締付により前記プレートを前記被処理物が前記構造体とカッター機構との間に入り込まないように案内できる位置に固定することを特徴とするカッターの支持軸。
【請求項７】
請求項３に記載されたカッターの支持軸において、前記位置決め部材は、前記構造体と前記カッター機構との間に配置されるバネから成り、前記プレートは前記バネにより前記カッター機構へ向けて変位するように付勢されていることを特徴とするカッターの支持軸。
【請求項８】
請求項１乃至請求項７のいずれかに記載されたカッターの支持軸において、前記プレートは、複数の前記支持軸に跨って設置されていることを特徴とするカッターの支持軸。
【請求項９】
請求項８に記載されたカッターの支持軸において、前記プレートは、前記複数の支持軸に取り付けられたカッター機構と前記構造体との間の間隙に合わせた形状を有する異形プレートであることを特徴とするカッターの支持軸。
【請求項１０】
請求項８に記載されたカッターの支持軸において、前記複数の支持軸のうち前記構造体との間で生ずる間隙が大きい側の支持軸には前記プレートと前記カッター機構との間に生ずる間隙に合わせた形状を有する介在が設置されることを特徴とするカッターの支持軸。
【請求項１１】
カッター機構が取り付けられシュレッダーの構造体に支持される複数の支持軸において、前記複数の支持軸に跨って設置され、前記構造体と前記カッター機構との間に挿入されて裁断すべき被処理物が前記構造体とカッター機構との間に入り込まないように前記被処理物を案内するプレートを有し、前記プレートは、前記構造体と前記カッター機構との間に生ずる間隙に合わせた形状を有する異形プレートであることを特徴とするカッターの支持軸。
【請求項１２】
カッター機構が取り付けられシュレッダーの構造体に支持される複数の支持軸において、前記複数の支持軸に跨って設置され、前記構造体と前記カッター機構との間に挿入されて裁断すべき被処理物が前記構造体とカッター機構との間に入り込まないように前記被処理物を案内するプレートを有し、前記複数の支持軸のうち前記構造体との間で生ずる間隙が大きい側の支持軸には前記プレートと前記カッター機構との間に生ずる間隙に合わせた形状を有する介在が設置されることを特徴とするカッターの支持軸。
【発明の詳細な説明】
【技術分野】
【０００１】
本発明は、不要となった書類等の被処理物をカッターにより裁断するシュレッダーのカッターを支持する支持軸の改良に関し、特に、裁断時に被処理物がカッターの支持軸の端部方向に変位した場合でも被処理物を適切に裁断することに関するものである。
【背景技術】
【０００２】
不要となった書類等の被処理物をカッターにより細かく裁断処理するシュレッダーにおいては、一般に、複数の支持軸の各々にカッターとスペーサとを交互に配置して、複数の支持軸に取り付けられたカッターが互い違いに噛み合うようにして、このカッター間に投入された被処理物を裁断する。
【０００３】
また、カッター機構の他の手段として、複数の支持軸のうち、一方にカッター刃とスペーサとを交互に配置して、他方の支持軸に、リングとスペーサとを交互に配置して、前記リングとスペーサとの間で、一方の支持軸に取り付けられたカッター刃と噛み合う溝を形成して、この溝内でカッター刃を回転させることにより被処理物を裁断することも行われていた（例えば、特許文献１参照）。
【０００４】
これらの場合、支持軸にカッター又はリングと、スペーサとを交互に配置して、カッター等が互い違いに噛み合うように設置されるため、少なくともいずれか一方の支持軸の端部においては、カッターと支持軸を軸受けするシュレッダーの構造体との間に必然的に間隙が生じる。
【０００５】
加えて、カッター又はリングと、スペーサとを交互に配置して設置されるカッター機構全体の長さと、このカッター機構が取り付けられた支持軸の両端を軸受けする構造体間の間隔とが、各部材の寸法誤差等を原因として、必ずしも完全に一致するとは限らない。この場合、従来は、支持軸の一端において、その差から生ずるクリアランスを微調整して解消するために、構造体とカッター機構との間に介在が挿入されるため、カッター等のカッター機構と構造体との間には、この介在の幅だけ更に大きな間隙が生ずる傾向があった。
【０００６】
このように、カッター機構と構造体との間に間隙があると、書類等の被処理物が裁断中に支持軸の軸線方向に変位し、カッター機構と構造体との間の間隙に入り込み、被処理物が、端部において細かく裁断されずに、未処理のまま排出されることがあった。
【０００７】
また、このように支持軸の端部において、介在を設置すると、上記クリアランスを解消するためには、そのクリアランス量に合わせて介在の幅を微調整したり、あるいは、種々の介在を用意する必要があり、カッター機構の適切な設置に非常に手間とコストを要する問題があった。
【特許文献１】特開平３−１４３５５３号公報
【発明の開示】
【発明が解決しようとする課題】
【０００８】
本発明が解決しようとする課題は、上記の問題点に鑑み、シュレッダーにおいて、裁断時に被処理物がカッター機構とシュレッダーの構造体との間に入り込まないように抑制して、被処理物の端部も適切に裁断することができると共に、シュレッダーの構造体に簡易にかつ適切に設置することができるカッターの支持軸を提供することにある。
【課題を解決するための手段】
【０００９】
本発明は、上記の課題を解決するための第１の手段として、カッター機構が取り付けられシュレッダーの構造体に支持されるカッターの支持軸において、構造体とカッター機構との間に挿入されて裁断すべき被処理物が構造体とカッター機構との間に入り込まないように被処理物を案内するプレートを有することを特徴とするカッターの支持軸を提供するものである。
【００１０】
本発明は、上記の課題を解決するための第２の手段として、上記第１の解決手段において、プレートは、カッター機構の側方に空間が生ずるのを防止するようにカッター機構に接して配置されることを特徴とするカッターの支持軸を提供するものである。
【００１１】
本発明は、上記の課題を解決するための第３の手段として、上記第１又は第２のいずれかの解決手段において、プレートは支持軸上を変位可能に設置され、支持軸はプレートを被処理物が構造体とカッター機構との間に入り込まないように案内できる位置に固定する位置合わせ部材を有することを特徴とするカッターの支持軸を提供するものである。
【００１２】
本発明は、上記の課題を解決するための第４の手段として、上記第３の解決手段において、プレートは、プレートに形成された貫通孔に支持軸を貫通させて支持軸上を変位可能に設置され、位置合わせ部材は、プレートに押しつけられ構造体のカッター機構とは反対の側にまで延びる介在と、構造体のカッター機構とは反対の側で支持軸の端部に形成された螺旋に螺合するナットとから成り、このナットは、締付により介在を介してプレートをカッター機構に対して進退させると共に被処理物が構造体とカッター機構との間に入り込まないように案内できる位置に固定することを特徴とするカッターの支持軸を提供するものである。
【００１３】
本発明は、上記の課題を解決するための第５の手段として、上記第３の解決手段において、位置合わせ部材は、支持軸の端部に形成された螺旋と、螺旋に螺合するプレートとから成り、プレートは螺合によりカッター機構に対して進退するように支持軸上を変位すると共に螺合の締付により被処理物が構造体とカッター機構との間に入り込まないように案内できる位置で固定されることを特徴とするカッターの支持軸を提供するものである。
【００１４】
本発明は、上記の課題を解決するための第６の手段として、上記第３の解決手段において、プレートは、プレートに形成された貫通孔に支持軸を貫通させて支持軸上を変位可能に設置され、位置合わせ部材は、支持軸の端部に形成された螺旋と、螺旋に螺合するナットとから成り、ナットは締付によりプレートを被処理物が構造体とカッター機構との間に入り込まないように案内できる位置に固定することを特徴とするカッターの支持軸を提供するものである。
【００１５】
本発明は、上記の課題を解決するための第７の手段として、上記第３の解決手段において、位置決め部材は、構造体とカッター機構との間に配置されるバネから成り、プレートは、このバネによりカッター機構へ向けて変位するように付勢されていることを特徴とするカッターの支持軸を提供するものである。
【００１６】
本発明は、上記の課題を解決するための第８の手段として、上記第１乃至第７のいずれかの解決手段において、プレートは、複数の支持軸に跨って設置されていることを特徴とするカッターの支持軸を提供するものである。
【００１７】
本発明は、上記の課題を解決するための第９の手段として、上記第８の解決手段において、プレートは、複数の支持軸に取り付けられたカッター機構と構造体との間の間隙に合わせた形状を有する異形プレートであることを特徴とするカッターの支持軸を提供するものである。
【００１８】
本発明は、上記の課題を解決するための第１０の手段として、上記第８の解決手段において、複数の支持軸のうち構造体との間で生ずる間隙が大きい側の支持軸にはプレートとカッター機構との間に生ずる間隙に合わせた形状を有する介在が設置されることを特徴とするカッターの支持軸を提供するものである。
【００１９】
本発明は、上記の課題を解決するための第１１の手段として、カッター機構が取り付けられシュレッダーの構造体に支持される複数の支持軸において、これらの複数の支持軸に跨って設置され、構造体とカッター機構との間に挿入されて裁断すべき被処理物が構造体とカッター機構との間に入り込まないように被処理物を案内するプレートを有し、このプレートは、構造体とカッター機構との間に生ずる間隙に合わせた形状を有する異形プレートであることを特徴とするカッターの支持軸を提供するものである。
【００２０】
本発明は、上記の課題を解決するための第１２の手段として、カッター機構が取り付けられシュレッダーの構造体に支持される複数の支持軸において、これらの複数の支持軸に跨って設置され、構造体とカッター機構との間に挿入されて裁断すべき被処理物が構造体とカッター機構との間に入り込まないように被処理物を案内するプレートを有し、複数の支持軸のうち構造体との間で生ずる間隙が大きい側の支持軸にはプレートとカッター機構との間に生ずる間隙に合わせた形状を有する介在が設置されることを特徴とするカッターの支持軸を提供するものである。
【発明の効果】
【００２１】
本発明によれば、上記のように、構造体とカッター機構との間にプレートを設置して、このプレートにより、構造体とカッター機構との間の間隙を埋めるようにして解消しているため、裁断すべき被処理物が構造体とカッター機構との間に入り込むことがないと同時に、被処理物を適正に案内するガイドの役割を果たすことができると共に、カッター機構が支持軸の最端部に存在するため、被処理物の端部も確実に裁断して、被処理物を適切に処理することができる実益がある。
【００２２】
また、本発明によれば、上記のように、プレートを変位可能に設置すると共に、このプレートを所定の位置で固定することができるため、支持軸を軸受けすべきシュレッダーの構造体とカッター機構との間の間隙の寸法を問わず、間隙に合わせてプレートを設置して、従来の介在による微調整を要することなく、簡易にかつ適切に間隙を解消することができると共に、その結果、間隙の寸法に合わせた様々な介在を用意する必要もなくなり、組付の作業性を向上させることができると共にコストを低減することができる実益がある。
【発明を実施するための最良の形態】
【００２３】
本発明の実施の形態を図面を参照しながら詳細に説明すると、図１は本発明のカッターの支持軸１０を示し、このカッターの支持軸１０は、図１に示すように、カッター機構１２が取り付けられシュレッダー１のフレーム等の構造体２に軸受け３を介して回転自在に支持される。
【００２４】
なお、カッター機構１２は、図１に示すように、２つの支持軸１０Ａ、１０Ｂの各々にカッター１４とスペーサ１６とを交互に取付けたカッター機構１２、即ち、隣り合うカッター１４とスペーサ１６を介して間欠的に取り付けられ、互い違いに噛み合うようにして設置された複数のカッター１４とすることもできるし、一方の支持軸１０Ａに取り付けられたカッター１４Ａと、これらのカッター１４Ａに噛み合うように入り込む図示しない溝を形成する図示しない複数のリングとすることもできる。いずれの場合も、カッター１４同士、あるいは、カッター１４と溝とが噛み合う箇所において、図示しない書類等の被処理物を裁断する。
【００２５】
本発明の支持軸１０は、図１に示すように、シュレッダー１の構造体とカッター機構１２との間に挿入されるプレート２０を有している。このプレート２０は、図示の実施の形態では、図１に示すように、複数の支持軸１０に跨って配置され、被処理物が構造体２とカッター機構１２との間に入り込まないように被処理物を案内する。
【００２６】
具体的には、プレート２０は、図２に示すように、各カッター１４やリング１８等の外径を側方からほぼ覆うような大きさに形成される。これにより、略リング状の形状を有し、このリング状の外周付近に形成されたカッター刃１４ａ付近の側方にも、プレート２０が配置され、構造体２との間で、被処理物が入り込む程の空間が形成されるのを防止することができる。
【００２７】
また、このプレート２０は、図２に示すように、カッター機構１２と構造体２との間の間隙の形状に合わせた形状に形成する。具体的には、カッター１４は、図１に示すように、交互に互い違いに配置されるため、一方の支持軸１０Ａに取り付けられたカッター１４と他方の支持軸１０Ｂに取り付けられたカッター１４とでは、それぞれ構造体２までの間隙に差がある。従って、図示の実施の形態のように、複数の支持軸１０Ａ、１０Ｂに跨って配置されるプレート２０の場合には、この段差に合わせた異形プレートとすることが望ましい。
【００２８】
但し、間隙の形状に合わせてカッター１４間の段差を適切に解消することができれば、この異形プレートの形態に限定されるものではなく、他に、例えば、プレート２０自体は平面形状としたままで、複数の支持軸１０のうち構造体２との間で生ずる間隙が大きい側の支持軸１０Ａに、更にプレート２０とカッター機構１２との間に生ずる間隙に合わせた形状を有する図示しない介在を設置して対応することもできる。
【００２９】
更に、このプレート２０は、図１に示すように、被処理物が構造体２とカッター機構１２との間に入り込まないように案内できる位置に固定して設置される。具体的には、図１に示すように、プレート２０は、カッター機構１２に近接して配置される。これにより、プレート２０は、被処理物がカッター機構１２と構造体２との間に入り込むことを防止することができると共に、被処理物の端部に接触して、被処理物を適切に案内することができる。
【００３０】
なお、この場合、プレート２０は、図１に示すように、カッター機構１２との間で、ほんの僅かなクリアランス、具体的には、１ｍｍ以下程度のクリアランスを設けて設置すれば被処理物が入り込むのを防止することができるため、充分であるが、プレート２０の一部等を樹脂から形成する等、摩耗等によるカッター１４の破損等の問題が生じなければ、カッター機構１２の側方に空間が生ずるのを防止するようにカッター機構１２に接して配置することもできる。この場合、略リング状の形状を有するカッター１４のうち、少なくとも、カッター刃１４ａが存在しない箇所においては、図１に示すように、プレート２０の表面に樹脂ワッシャ等２０ｂを設けて、この樹脂ワッシャ２０ｂをカッター１４に密接させて配置させることにより、後述するプレート２０の位置決めを容易に行うことができると同時に、被処理物が間隙に入り込むのを防止することができる。
【００３１】
このプレート２０の配置は、プレート２０を支持軸１０上で変位可能に設置すると共に、位置合わせ部材２２により所定の位置に固定して行うことができる。即ち、本発明の支持軸１０は、図１に示すように、プレート２０を、被処理物が構造体２とカッター機構１２との間に入り込まないように案内できる位置に固定する位置合わせ部材２２を有する。
【００３２】
この場合、プレート２０は、特に図２に示すように、支持軸１０が貫通する貫通孔２０ａを有し、この貫通孔２０ａに支持軸１０を貫通させることにより、支持軸１０に保持されると同時に支持軸１０上を変位することができる。
【００３３】
一方、位置合わせ部材２２は、図示の実施の形態では、図１に示すように、プレート２０に押しつけられる介在２４と、支持軸１０の端部に形成された螺旋２６に螺合するナット２８とから成っている。
【００３４】
この介在２４は、図１に示すように、プレート２０に当接するフランジ部２４Ａと、このフランジ部２４Ａから伸びる筒状部２４Ｂとから成り、この筒状部２４Ｂが、構造体２の軸受け３を貫通して、構造体２のカッター機構１２とは反対の側にまで延びるようにして設置される。
【００３５】
一方、ナット２８は、図１に示すように、構造体２のカッター機構１２とは反対の側で支持軸１０の端部に形成された螺旋２６に螺合して、この構造体２のカッター機構１２とは反対の側に位置する介在２４の筒状部２４Ｂの端面に当接するワッシャ３０を介して、締付により介在２４を締め込むことにより、この介在２４を介してプレート２０をカッター機構１２に対して進退させると共に、樹脂ワッシャ２０ｂがカッター１４等に当接するまでプレート２０を押し込むことにより、被処理物が構造体２とカッター機構１２との間に入り込まないように案内できる位置に固定することができる。
【００３６】
これにより、支持軸１０を軸受けすべきシュレッダー１の構造体２とカッター機構１２との間の間隙の寸法を問わず、間隙に合わせてプレート２０を設置して、従来の介在による微調整を要することなく、簡易にかつ適切に間隙を解消することができると共に、その結果、間隙の寸法に合わせた様々な介在を用意する必要もなくなり、組付の作業性を向上させることができると共にコストを低減することができる。
【００３７】
但し、位置決め部材２２の形態は、必ずしも、図示の実施の形態に限定されるものではなく、プレート２０を所定の位置で固定することができれば、他の形態とすることもできる。具体的には、他に、例えば、位置合わせ部材２２を、支持軸１０の端部に形成された螺旋２６と、この螺旋２６に螺合するプレート２０とから構成することもできる。
【００３８】
この場合、プレート２０の貫通孔２０ａの内周面に、支持軸１０の螺旋２６に対応する螺旋溝を形成することにより対応することができ、このプレート２０は、螺合によりカッター機構１２に対して進退するように支持軸１０上を変位すると共に、このプレート２０自身の螺合の締付により被処理物が構造体２とカッター機構１２との間に入り込まないように案内できる位置で固定される。この実施の形態は、後述するように、特に、各支持軸１０Ａ、１０Ｂ毎にプレートを設置する場合に、簡易な構成で間隙を解消するのに好適である。
【００３９】
また、他に、プレート２０を、図１に示す実施の形態と同様に、プレート２０の貫通孔２０ａに支持軸１０を貫通させて支持軸上を変位可能に設置する一方で、位置合わせ部材２２を、支持軸１０の端部に形成された螺旋２６と、この螺旋２６に螺合する図示しないナットとから構成し、プレート２０を被処理物が構造体２とカッター機構１２との間に入り込まないように案内できる位置に配置した後に、このナットにより、プレート２０を当該位置に締付ることにより、固定することもできる。
【００４０】
更には、他に、位置決め部材２２とし、構造体２とカッター機構１２との間に配置される図示しないバネを使用し、プレート２０を、このバネによりカッター機構１２へ向けて変位するように付勢することもできる。これにより、プレート２０は、樹脂ワッシャ２０ｂ等がカッター機構１２に当接する位置まで押し込まれて、被処理物が間隙に入り込まない位置に固定される。なお、この場合、図示しないバネの自然長を、構造体２とカッター機構１２との間隙の幅よりも長く設定することにより、プレート２０をカッター機構１２へ向けて変位するように付勢することができる。同時に、図示しないバネの弾性力を適切に調整することにより、プレート２０を常時所定の位置に固定して配置することができる。
【００４１】
なお、図示の実施の形態では、上記のように、位置合わせ部材２２により、プレート２０を、カッター機構１２に隣接するように位置決めしたが、構造体２とカッター機構１２との間隙がほぼ想定できる範囲内の一定の寸法であれば、特に位置合わせ部材２２を設けることなく、設計上、当初から、間隙の形状に合わせた形状の異形プレート２０とすることにより、又は、平面状のプレート２０としつつ、複数の支持軸１０のうち構造体２との間で生ずる間隙が大きい側の支持軸１０にはプレート２０とカッター機構１４との間に生ずる間隙に合わせた形状を有する介在を設置することにより、簡易に被処理物の案内に対応することもできる。
【００４２】
また、図示の実施の形態では、図１に示すように、部品点数の削減により生産管理等の問題から、複数の支持軸１０Ａ、１０Ｂに跨るプレート２０したが、勿論、各支持軸１０毎に、プレート２０や、必要に応じて位置決め部材２２を設置することもできる。
【産業上の利用可能性】
【００４３】
本発明は、特に、書類等を細かく裁断するシュレッダーのカッターの支持軸に好適であるが、同様に、回転する刃を支持する支持軸であれば、シュレッダーに限らず、広く適用することができる。
【図面の簡単な説明】
【００４４】
【図１】本発明のカッターの支持軸の一部破断平面図である。
【図２】図２は、本発明に用いられるプレートを示し、同図（Ａ）はその平面図、同図（Ｂ）はその側面図である。
【符号の説明】
【００４５】
１  シュレッダー
２  構造体
３  軸受け
１０  支持軸
１２  カッター機構
１４  カッター
１４ａ  カッター刃
１６  スペーサ
２０  プレート
２０ａ  貫通孔
２０ｂ  樹脂ワッシャ
２２  位置合わせ部材
２４  介在
２４Ａ  フランジ部
２４Ｂ  筒状部
２６  螺旋
２８  ナット
３０  ワッシャ
【図１】
2006263589.tif 000003
【図２】
2006263589.tif 000004